(57)【要約】【課題】集中豪雨等による洪水や津波等が発生し、上記窓用建具に対して高い水圧が作用した場合であっても、漏水を招くことがなく、より水密性の高い窓用建具及びこの窓用建具を備えた住宅を提供する。【解決手段】枠体２（２２）には上記複数のガラス板３，４，５に対向してなる対向面２２ａと、この対向面２２ａから起立し、背面は最も室内側に固定された特定のガラス板３の室内側の面に対向してなる対向板部２２ｂと、を備え、上記対向板部２２ｂと上記特定のガラス板３との間には、該対向板部２２ｂと該特定のガラス板３により挟まれ圧縮・変形されて薄肉となされた水密板７が、該対向板部２２ｂの背面に貼付されてなる。【選択図】  図２
2020148048.tif 000002
【特許請求の範囲】
【請求項１】
住宅に配置され内側に長方形状の開口を有する複数の枠体と、これらの枠体に外周端側が固定され上記開口を閉塞するとともに互いに対向する複数のガラス板と、を備えた窓用建具であって、
上記各枠体には、上記複数のガラス板の上面、下面、左側面又は右側面に対向してなる対向面と、これらの対向面から起立し、室内側の面は最も室内側に固定された特定のガラス板の室内側の面に対向してなる対向板部と、を備え、
上記対向板部と上記特定のガラス板との間には、該対向板部と該特定のガラス板とにより全部又は一部が挟まれ圧縮され変形されて薄肉となされた水密板が、該対向板部の室外側の面に貼付されてなることを特徴とする窓用建具。
【請求項２】
前記各枠体に形成された対向板部には、前記対向面と離間した位置に、前記特定のガラス板の室内側の面に当接する凸部が形成され、前記水密板の一側は上記凸部の一側に当接し、該水密板の他側は前記対向面に当接されてなるとともに、該水密材は、該対向板部と特定のガラス板とにより圧縮された部位と圧縮されない部位とを有し、該圧縮されない部位の肉厚は、上記対向板部から凸部の先端までの高さよりも長尺とされてなることを特徴とする請求項１記載の窓用建具。
【請求項３】
前記水密板は、発泡樹脂を素材とするとともに、該水密板の室内側の面及び室外側の面の両面には、接着剤が塗布され、この接着剤により前記特定のガラス板や対向板部に接着されてなることを特徴とする請求項１又は２記載の何れかの窓用建具。
【請求項４】
前記請求項１，２又は３記載の何れかの窓用建具を備えてなることを特徴とする住宅。
【発明の詳細な説明】
【技術分野】
【０００１】
本発明は、枠体の内側に形成された開口がガラス板により閉塞されてなる窓用建具及びこの窓用建具を備えた住宅に関するものである。
【背景技術】
【０００２】
近年、台風による大雨や集中豪雨等により洪水が発生し或いは津波の発生により、住宅に大きな被害が発生する場合が多いが、こうした洪水等の発生に伴って、住宅に設けられた窓用建具、特に、枠体とガラス板との間から室内に水が流入し、この結果、床上浸水等の事態を引き起こす場合が多い。
【０００３】
そこで従来では、枠体とガラス板との間から室内に水が流入することを防止し、該建具の水密性を向上させる目的で、特開２００８−１６３６１０号公報（特許文献１）に開示された建具が提案されている。この特許文献１に開示された建具は、複層のガラス板の端部を収容し、当該複層のガラス板を取り付けるための枠体と、前記複層のガラス板と前記枠体との間に介装され、前記複層のガラス板と前記枠体との間を水密にするための水密材と、この水密材と間隔を隔てて前記複層のガラス板の端部に設けられ、当該端部を保護するための端部保護材と、を有してなるものである。
【先行技術文献】
【特許文献】
【０００４】
【特許文献１】特開２００８−１６３６１０号公報
【発明の概要】
【発明が解決しようとする課題】
【０００５】
しかしながら、上記特許文献１に開示された建具では、室外側から高い水圧が建具に作用した場合には、上記気密材とガラス板との間から水が侵入し、ひいては室内側に流入する危険性があり、十分な水密性を確保することは期待できない。
【０００６】
そこで、本発明は、集中豪雨等による洪水や津波等が発生し、上記窓用建具に対して高い水圧が作用した場合であっても、漏水を招くことがなく、より水密性の高い窓用建具及びこの窓用建具を備えた住宅を提供することを目的とするものである。
【課題を解決するための手段】
【０００７】
本発明は、上記課題を解決するために提案されたものであって、第１の発明（請求項１記載の発明）は、窓用建具に係るものであって、住宅に配置され内側に長方形状の開口を有する複数枠体と、これらの枠体に外周端側が固定され上記開口を閉塞するとともに互いに対向する複数のガラス板と、を備えた窓用建具であって、上記枠体には、上記複数のガラス板の上面、下面、左側面又は右側面に対向してなる対向面と、これらの対向面から起立し、室内側の面は最も室内側に固定された特定のガラス板の室内側の面に対向してなる対向板部と、を備え、上記対向板部と上記特定のガラス板との間には、該対向板部と該特定のガラス板とにより全部又は一部が挟まれ圧縮され変形されて薄肉となされた水密板が、該対向板部の室外側の面に貼付されてなることを特徴とするものである。
【０００８】
この第１の発明に係る窓用建具では、上記対向板部と上記最も室内側に固定された特定のガラス板との間には、該対向板部と特定のガラス板とにより全部又は一部が挟まれ圧縮され変形されて薄肉となされた水密板が、該対向板部の室外側の面に貼付されてなることから、この第１の発明に係る窓用建具によれば、高い水圧が作用した場合であっても、該特定のガラス板と枠体との僅かな隙間から室内側に水が流入することはなく、一層水密性を向上させることができる。
【０００９】
また、第２の発明（請求項２記載の発明）は、上記第１の発明において、前記各枠体に形成された対向板部には、前記対向面と離間した位置に、前記特定のガラス板の室内側の面に当接する凸部が形成され、前記水密板の一側は上記凸部の一側に当接し、該水密板の他側は前記対向面に当接されてなるとともに、該水密材は、該対向板部と特定のガラス板とにより圧縮された部位と圧縮されない部位とを有し、該圧縮されない部位の肉厚は、上記対向板部から凸部の先端までの高さよりも長尺とされてなることを特徴とするものである。
【００１０】
この第２の発明に係る窓用建具では、先ず、上記水密板の一側は上記凸部の一側に当接し、該水密板の他側は前記対向面に当接され、さらに、該水密材は、該対向板部と特定のガラス板とにより圧縮された部位と圧縮されない部位とを有し、該圧縮されない部位の肉厚は、上記対向板部から凸部の先端までの高さよりも長尺とされていることから、この水密板が特定のガラス板によって圧縮された部位は言うまでもなく、上記対向板部の室外側の面に水が侵入することはなく、より一層水密性を高めることができる。
【００１１】
また、第３の発明（請求項３記載の発明）は、上記第１又は第２の何れかの発明において、前記水密板は、発泡樹脂を素材とするとともに、該水密板の室内側の面及び室外側の面の両面には、接着剤が塗布され、この接着剤により前記特定のガラス板や対向板部に接着されてなることを特徴とするものである。
【００１２】
この第３の発明に係る窓用建具では、水密板の室内側の面には、接着剤が塗布され、この接着剤により前記対向板部や特定のガラス板に接着されてなることから、該水密板が位置ずれ等を生ずるおそれがない。なお、上記接着される前段階における上記水密板の室内側及び室外側の面の双方に接着剤を塗布し、これらの面に剥離テープを貼付したものを使用すれば、上記各剥離テープをそれぞれ剥離し、それぞれの面に接着することにより作業の迅速化を図ることができる。
【００１３】
また、第４の発明（請求項４記載の発明）は、住宅に係るものであって、上記第１、第２又は第３の何れかの発明に係る窓用建具を備えてなることを特徴とするものである。
【発明の効果】
【００１４】
上記第１の発明（請求項１記載の発明）に係る窓用建具や第４の発明（請求項４記載の発明）に係る住宅によれば、高い水圧が作用した場合であっても、上記特定のガラス板と枠体との僅かな隙間から室内側に水が流入することはなく、一層水密性を向上させることができる。
【００１５】
また、第２の発明（請求項２記載の発明）に係る窓用建具によれば、上記水密板の一側は上記凸部の一側に当接し、該水密板の他側は前記対向面に当接され、さらに、該水密材は、該対向板部と特定のガラス板とにより圧縮された部位と圧縮されない部位とを有し、該圧縮されない部位の肉厚は、上記対向板部から凸部の先端までの高さよりも長尺とされていることから、この水密板が特定のガラス板によって圧縮された部位は言うまでもなく、上記対向板部の室外側の面に水が侵入することはなく、より一層水密性を高めることができる。
【００１６】
また、第３の発明（請求項３記載の発明）係る窓用建具によれば、水密板が位置ずれ等を生ずるおそれがなく、更に一層水密性を高めることができる。
【図面の簡単な説明】
【００１７】
【図１】窓用建具を室内側から示す正面図である。
【図２】図１のＡ−Ａ線断面図であり、一部省略し且つ拡大した断面図である。
【図３】図１のＢ−Ｂ線断面図であり、一部省略し且つ拡大した断面図である。
【図４】水の侵入状態を示す断面図である。
【発明を実施するための形態】
【００１８】
以下、本発明を実施するための最良の形態に係る窓用建具について説明する。
【００１９】
この窓用建具１は、室内側から示す正面図（図１）に示すように、住宅の窓部分に配置される枠体２と、この枠体２に囲まれた開口を閉塞する３枚のガラス板３，４，５（図２、図３又は図４参照）を備えたものである。
【００２０】
上記枠体２は、図示しない住宅に平行に固定された上枠２１と、この上枠２１の下方であって該上枠２１に平行に固定された下枠２２と、上端側の右側は上記上枠２１の左端に固定され下端側の右側は上記下枠２２の左端に固定され、垂直方向に長さを有する左枠２３と、上端側の左側は上記上枠２１の右端に固定され下端側の左側は上記下枠２２の右端に固定され、上記左枠２３に平行に固定された右枠２４とから構成されている。すなわち、この窓用建具１は、上記上枠２１、下枠２２、左枠２３及び右枠２４からなる上記枠体２を備えてなるとともに、該枠体２の内側には開口（符号は省略する。）が形成され、この開口は、上記３枚のガラス板３，４，５により閉塞されている。なお、図２、図３又は図４に示すように、上記ガラス板３は、最も室内側に固定され本発明を構成する特定のガラス板であり、ガラス板５は、最も室外側に固定されたガラス板であり、上記ガラス板４は、上記特定のガラス板３とガラス板５との間に所定間隔隔てて固定されたガラス板である。なお、上記特定のガラス板３及びガラス板４，５は、それぞれフロートガラス板であり、該ガラス板５とガラス板４との間、該ガラス板４と特定のガラス板３との間には、それぞれスペーサ６が配置されている。
【００２１】
そして、上記上枠２１は、図２中上側に示すように、中空状であり且つ外形形状が略直方体状に成形されてなるものであり、上記各ガラス板３，４，５（以下、これらをガラス板群と言うことがある。）の上面に対向する対向面２１ａが形成され、この対向面２１ａの形成位置よりも室内側には、本発明を構成する対向板部２１ｂを構成要素とし、上記ガラス板群を挟持する中空状の室内側ガラス挟持部２１ｃが下向きに形成され、室外側には、上記ガラス板群を挟持する室外側ガラス挟持部２１ｄがやや下向きに形成されている。そして、上記室内側ガラス挟持部２１ｃは、上記対向面２１ａから垂下した上記対向板部２１ｂと、この対向板部２１ｂの下方に形成された凸部２１ｅと、上記対向板部２１ｂに対向してなり室内側に露出した垂下板部２１ｆと、底板部２１ｇとから構成されている。そして、上記対向板部２１ｂの室外側の面には、該対向板部２１ｂと上記特定のガラス板３とにより一部が挟まれ圧縮され変形されて薄肉となされた水密板７が貼付されている。この水密板７は、発泡樹脂を素材により略テープ状に成形されてなるものであり、室内側及び室外側の各面には、図示しない接着剤が塗布されている。また、この水密板７の上端は、上記対向面２１ａに当接し、その下端は上記凸部２１ｄの上面に当接している。
【００２２】
また、上記下枠２２は、図２中下側に示すように、中空状であり且つ外形形状が略直方体状に成形されてなるものであり、上記各ガラス板群のそれぞれ上面に対向する対向面２２ａが形成され、この対向面２２ａの形成位置よりも室内側には、本発明を構成する対向板部２２ｂを構成要素とし、上記ガラス板群を挟持する中空状の室内側ガラス挟持部２２ｃが上向きに形成され、室外側には、上記ガラス板群を挟持する室外側ガラス挟持部２２ｄがやや上向きに形成されている。そして、上記室内側ガラス挟持部２２ｃは、上記対向面２２ａから上方に起立した上記対向板部２２ｂと、この対向板部２２ｂの上方に形成された凸部２２ｅと、上記対向板部２２ｂに対向してなり室内側に露出した起立板部２２ｆと、天板部２２ｇとから構成されている。そして、上記対向板部２２ｂの室外側の面には、該対向板部２２ｂと上記特定のガラス板３とにより一部が挟まれ圧縮され変形されて薄肉となされた水密板７が貼付されている。この水密板７は、発泡樹脂を素材により略テープ状に成形されてなるものであり、室内側及び室外側の各面には、図示しない接着剤が塗布されている。また、この水密板７の下端は、上記対向面２２ａに当接し、その上端は上記凸部２２ｄの上面に当接している。
【００２３】
また、上記左枠２３は、図３中左側に示すように、中空状であり且つ外形形状が略直方体状に成形されてなるものであり、上記各ガラス板群のそれぞれ左側面に対向する対向面２３ａが形成され、この対向面２３ａの形成位置よりも室内側には、本発明を構成する対向板部２３ｂを構成要素とし、上記ガラス板群を挟持する中空状の室内側ガラス挟持部２３ｃが右向きに形成され、室外側には、上記ガラス板群を挟持する室外側ガラス挟持部２３ｄがやや右向きに形成されている。そして、上記室内側ガラス挟持部２３ｃは、上記対向面２３ａから右側に起立した上記対向板部２３ｂと、この対向板部２３ｂの右側に形成された凸部２３ｅと、上記対向板部２３ｂに対向してなり室内側に露出した起立板部２３ｆと、右側板部２３ｇとから構成されている。そして、上記対向板部２３ｂの室外側の面には、該対向板部２３ｂと上記特定のガラス板３とにより一部が挟まれ圧縮され変形されて薄肉となされた水密板７が貼付されている。この水密板７は、発泡樹脂を素材により略テープ状に成形されてなるものであり、室内側及び室外側の各面には、図示しない接着剤が塗布されている。また、この水密板７の左端は、上記対向面２３ａに当接し、その右端は上記凸部２３ｄの左側面に当接している。
【００２４】
また、上記右枠２４は、図３中右側に示すように、中空状であり且つ外形形状が略直方体状に成形されてなるものであり、上記各ガラス板群のそれぞれ右側面に対向する対向面２４ａが形成され、この対向面２４ａの形成位置よりも室内側には、本発明を構成する対向板部２４ｂを構成要素とし、上記ガラス板群を挟持する中空状の室内側ガラス挟持部２４ｃが左向きに形成され、室外側には、上記ガラス板群を挟持する室外側ガラス挟持部２４ｄがやや左向きに形成されている。そして、上記室内側ガラス挟持部２４ｃは、上記対向面２４ａから左側に起立した上記対向板部２４ｂと、この対向板部２４の左側に形成された凸部２４ｅと、上記対向板部２４ｂに対向してなり室内側に露出した起立板部２４ｆと、左側板部２４ｇとから構成されている。そして、上記対向板部２４ｂの室外側の面には、該対向板部２４ｂと上記特定のガラス板３とにより一部が挟まれ圧縮され変形されて薄肉となされた水密板７が貼付されている。この水密板７は、発泡樹脂を素材により略テープ状に成形されてなるものであり、室内側及び室外側の各面には、図示しない接着剤が塗布されている。また、この水密板７の右端は、上記対向面２４ａに当接し、その左端は上記凸部２４ｄの右側面に当接している。
【００２５】
したがって、上述した窓用建具１によれば、室外側の水Ｗの水位が、上記下枠２２よりも上方に至った際における水Ｗの侵入状態を示す図４に示すように、上記下枠２２の対向面２２ａとガラス群の下方に水は侵入するものの、その水Ｗは上記水密板７により完全に止水される。特に、こうした図４に示す状態からさらに水位が上昇し或いは濁流等により、大きな水圧がこのドア用建具１に作用した場合であっても、上記水密板７は、上記特定のガラス板３と起立板部２２ｂとに強固に挟持され肉厚が一部薄肉とされていることから、依然として僅かな上記隙間から住宅内に水が流入することなくその水密性を十分維持することができる。特に、この実施の形態に係る窓用建具１では、上記水密板７の一端は、上記対向面２３ａに当接し、その他端は上記凸部２３ｄの左側面に当接していることから、相当な水圧が作用した場合であっても、上記凸部２３ｄと特定のガラス板３との間に水が侵入し、その結果、室内側に水が侵入することがない。
【００２６】
上述した窓用建具１の説明からも明らかなように、本発明に係る窓用建具によれば、集中豪雨等による洪水等が発生し、上記特定のガラス板を備えた建具に対して高い水圧が作用した場合であっても、漏水を招くことがなく、より水密性の高い窓用建具及びこの窓用建具を備えた住宅を提供することができる。
【符号の説明】
【００２７】
１  窓用建具
２  枠体
３，４，５  ガラス板
７  水密板
２１  上枠
２１ａ  対向面
２１ｂ  対向板部
２１ｅ  凸部
２２  下枠
２２ａ  対向面
２２ｂ  対向板部
２２ｅ  凸部
２３  左枠
２３ａ  対向面
２３ｂ  対向板部
２３ｅ  凸部
２４  右枠
２４ａ  対向面
２４ｂ  対向板部
２４ｅ  凸部
【図１】
2020148048.tif 000003
【図２】
2020148048.tif 000004
【図３】
2020148048.tif 000005
【図４】
2020148048.tif 000006